(57)【要約】      （修正有）【課題】渦巻き状に形成されたコイルによる導子を従来のインピーダンスと同様の値を保持させたまま、利用者の装着する患部に対して導子の装着面が完全に密着させることができる超短波治療器用導子を提供する。【解決手段】本発明の超短波治療器用導子は、治療器本体とコードを介して接続され、人体の局部に当てられて超短波を照射する超短波治療器用導子であり、フェルト材で構成された巻芯部１と、該巻芯部１に、所定の巻数にて、耐熱性の高い絶縁部材に被覆された導線２を螺旋状に巻いて形成したコイルとを有する。【選択図】図１
2006333937.tif 000002
【特許請求の範囲】
【請求項１】
治療器本体とコードを介して接続され、人体の局部に当てられて超短波を照射する超短波治療器用導子であり、
フェルト材で構成された巻芯部と、
該巻芯部に、所定の巻数にて、耐熱性の高い絶縁部材に被覆された導線を螺旋状に巻いて形成したコイルと
を有することを特徴とする超短波治療器用導子。
【請求項２】
前記コイルが断面を楕円形状として形成されていることを特徴とする請求項１記載の超短波治療用導子。
【請求項３】
前記楕円の長径が装着対象の幅に対応していることを特徴とする請求項１または請求項２に記載の超短波治療用導子。
【請求項４】
前記コイルが断面を長円の形状として形成されていることを特徴とする請求項１記載の超短波治療用導子。
【請求項５】
前記長円の長径が装着対象の幅に対応していることを特徴とする請求項１または請求項４に記載の超短波治療用導子。
【請求項６】
前記導線を被覆する絶縁部材を互いに密着させて相対移動を規制する固定部材を有することを特徴とする請求項１から請求項５のいずれかに記載の超短波治療器用導子。
【発明の詳細な説明】
【技術分野】
【０００１】
本発明は、周波数１０〜５０ＭＨｚの超短波帯の電磁波を人体に照射し、体内に発生する透熱効果により温熱治療を行う超短波治療器に用いられる導子の改良に関する。
【背景技術】
【０００２】
図３は、従来より公知の超短波治療器の構成ブロック図である。図において、発振回路１は、出力となる超短波の基本周波数、即ちＩＳＭ（Industrial Scientific and Medical equipment）で高周波利用医療機器に割り当てられている周波数、例えば２７．１２ＭＨｚや１３．５６ＭＨｚ、４０．６８ＭＨｚで発振を行っている。尚、ＩＳＭで高周波利用医療機器に割り当てられている周波数のうち、２．４５ＧＨｚはマイクロ波と呼ばれ、超短波に比較して高い周波数帯域となっている。増幅回路１２は、発振回路１１で出力された信号を充分な電圧に増幅させるものであり、電力増幅回路１３は、増幅回路１２の出力信号を規定電力に増幅する。
【０００３】
出力整合回路１４は、人体インピーダンスと伝送線路の特性インピーダンスとの整合調整をとり、出力基本周波数に対する高調波成分を除外すると共に、導子１６に対し最大効率で電力を供給する。調整手段１５は、容量を可変するバリコン等を用いて、出力整合回路１４の伝送線路の特性インピーダンスを調整する。導子１６は、渦巻きコイルを形成した１個の電極板を有し、渦電流によるジュール熱の作用により患部の深いところまで温熱作用を発揮する。
【０００４】
このように構成された装置においては、まず導子１６を固定ベルト（図示せず）によって患部に固定する。すると肩、腰、ひざなどの患部が導子１６と当接する。超短波治療器にかかる負荷インピーダンスは、人体各部の誘電率又は損失の相違により異なってくるので、調整手段１５を用いて出力整合回路１４のインピーダンスを調整して、治療対象となる人体部分のインピーダンスに整合させる。そして超短波治療器による超短波治療を開始する。
【０００５】
尚、導子１６の他の形式として、２個対になる導子に間に挟まれた人体に対して超短波の連続透射を行い、高周波加熱により患部に温熱作用を発揮するコンデンサ型や、本出願人の提案にかかる特許文献１や特許文献２に開示したものが知られている。特許文献２の導子は、基本的には平面の基板に固定したコイル型で、テープ状の電極を腕や脚部に対し、装着面が患部に密着するよう巻きつけて、ラセン電界法を用いて超短波治療を行っている。
【特許文献１】実公平３−２１２５４号公報
【特許文献２】特公平６−４９０８０号公報
【発明の開示】
【発明が解決しようとする課題】
【０００６】
しかしながら、従来の超短波治療器の平面型コイル型の導子は、絶縁被覆された導線が平面基板に径方向に渦巻き状に巻いた状態で（図２（ｂ）参照）導線収容部材に収容された状態で構成されている。
このため、従来の導子は、肩や腰のように広い患部に対して、表面が患部皮膚と密着し、１回の導子固定により効率良く超短波治療が可能な装着面となっているが、手や足の部分のように平坦な面が狭い患部に対しては、導子の導子の装着面が大きすぎ、導子の装着面が患部からはみ出て、患部に対して有効な加熱が不十分であり、かつ固定させにくいという問題がある。
【０００７】
このため、手や足の部分のように狭い患部に対しては、効率の良い治療を行うため、導子の装着面が患部に完全に密着するように面積を小さくする必要がある。
そこで、渦巻き状のコイルを小型化しようとする場合、巻数を少なくして面積を小型化しようとすると、同一の超短波治療器を利用することを考えると、同調に必要な所定のインピーダンスを従来と同様としようとすると、コンデンサ部品を設けて、インピーダンスの調整を行うことが考えられる。
しかしながら、コンデンサ部品を設けることにより、構造が複雑となり壊れやすく、製造コストも上昇することと、かつ人体の患部に装着するパッド部分であるため、装着時にコンデンサ部品を設けた事による凹凸により、利用者が不快感を感じることとなる。
【０００８】
したがって、渦巻き状のコイルのインピーダンスの調整は、コイルの導線の巻数と、導線の内径と、巻間隔とにより行う必要がある。
このとき、渦巻き状のコイルに対し、外被径の細い（被覆の薄い）導線を使用すると、芯線間が狭くなることで、さらに導子のパット部が小さくなり、かつインピーダンスも所望にできる。
しかしながら、導線の線間容量が増加し過ぎると、誘電損による発熱が導線間で起こるため、患部の内面を加熱するためのエネルギーを消費することとなり、患部の治療の効率を低下させることとなる。
【０００９】
本発明は、このような事情に鑑みてなされたもので、従来の渦巻き状に形成されたコイルによる導子を従来のインピーダンスと同様の値を保持させたまま、利用者の装着する患部に対して導子の装着面が完全に密着させることができる超短波治療器用導子を提供することを目的とする。
【課題を解決するための手段】
【００１０】
本発明の超短波治療用導子は、治療器本体とコードを介して接続され、人体の局部に当てられて超短波を照射する超短波治療器用導子であり、フェルト材で構成された巻芯部と、該巻芯部に、所定の巻数にて、耐熱性の高い絶縁部材に被覆された導線を螺旋状に巻いて形成したコイルとを有することを特徴とする。
このように構成された装置においては、フェルト材等で構成された巻芯部に、導線を螺旋状に巻いて、コイルを形成させているため、平板の２次元平面にて渦巻き状に導線を巻いて構成する場合に比較して、同一のインピーダンスを有してコイルを小型に形成できる。
このため、本発明によれば、導子自体を小型化することができ、すなわち、患部に密着させる導子の装着面の面積を小さくでき、患部に装着面全体を密着させることが可能となり、患部の加熱を効率的に行うことができる。
【００１１】
本発明の超短波治療用導子は、前記コイルが断面を楕円形状として形成されていることを特徴とする。
ここで、コイルは一般的には真円で形成するが、本発明は導子の装着面が凹凸となることにより、利用者が不快感を持たないように、装着面がほぼ平面となるように、断面が長方形の巻芯部にコイルを、断面が長円形状となるように巻いている。
これにより、本発明によれば、長円の長径に平行な導子面を装着面とすることで、患部に対してほぼ平面に近い装着面とすることができ、利用者が不快感を持たず、かつ長円の短径方向に柔軟に可動させることができるため、装着時において装着面の形状を装着対象の形状に合わせて、適時変形させることが可能である。
【００１２】
本発明の超短波治療用導子は、前記楕円の長径が装着対象の幅に対応していることを特徴とする。
本発明によれば、患部に導子の装着面全体を密着させることが可能となり、患部の加熱を効率的に行うことができる。
【００１３】
本発明の超短波治療用導子は、前記コイルが断面を長円形状として形成されていることを特徴とする。
ここで、コイルは一般的には真円で形成するが、本発明は導子の装着面が凹凸となることにより、利用者が不快感を持たないように、装着面がほぼ平面となるように、断面が長方形の巻芯部にコイルを、断面が楕円形状となるように巻いている。
これにより、本発明によれば、楕円の長径に平行な導子面を装着面とすることで、患部に対してほぼ平面に近い装着面とすることができ、利用者が不快感を持たず、かつ楕円の短径方向に柔軟に可動させることができるため、装着時において装着面の形状を装着対象の形状に合わせて適時変形させることが可能である。
【００１４】
本発明の超短波治療用導子は、前記長円の長径が装着対象の幅に対応していることを特徴とする。
本発明によれば、患部に導子の装着面全体を密着させることが可能となり、患部の加熱を効率的に行うことができる。
【００１５】
本発明の超短波治療用導子は、前記導線を被覆する絶縁部材を互いに密着させて相対移動を規制する固定部材を有することを特徴とする。
【発明の効果】
【００１６】
以上説明したように、本発明によれば、フェルト材等で構成された巻芯部に、導線を螺旋状に巻いて、コイルを形成させているため、平板の２次元平面にて渦巻き状に導線を巻いて構成する場合に比較して、同一のインピーダンスを有してコイルを小型に形成できる。
また、本発明によれば、導子自体を小型化することができ、すなわち、患部に密着させる導子の装着面の面積を小さくでき、患部に装着面（以下、患部当接面）全体を密着させることが可能となり、患部の加熱を効率的に行うことができる。
【発明を実施するための最良の形態】
【００１７】
以下、図面を用いて本発明の実施の形態を説明する。図１は、本発明の一実施形態を説明する構成図である。図１（ａ）は正面からみた平面図であり、図１（ｂ）は図１（ａ）における方向Ａから見た側面図である。図において、コイル型パッド導子１０は、フェルト材芯部（巻芯部）１に導線２が螺旋状に巻かれ、巻かれた導線２を固定する固定テープ（固定部材）３が設けられている。上記導線２は耐熱性の高い絶縁部材に被覆された絶縁電線である。また、導線２は絶縁性の被覆が密着する状態で、フェルト芯部１の断面の垂直方向に、コイルの軸が平行となるように巻かれている。また、コイル型パッド導子１０は、図示しないが、例えば、患部当接面と反対側とが、縫い付けられた帯状の布（ポリエステル製フェルト）で覆われ、固定ベルトにより患部に固定されるようになっている。
【００１８】
ここで、コイル型パッド導子１０は、幅Ｗが人間の手や足の部分の幅を、複数の人間から採取した寸法の平均値とし、奥行きＨはこの値及び厚さｔから導線２の巻数を調整して、この巻数と導線２の外径とから求まる。
ケーブル５は、一端がコイル型パッド導子１０に固定され、他端がプラグ（図示せず）を介して超短波治療器４本体に接続されるもので、長さは１〜２ｍとなっている。
コイル型パッド導子１０は、ケーブル５及び上記プラグを介して、超短波治療器４（図３の超短波治療器４と同様）から超短波出力電力が供給される。
【００１９】
ここで、フェルト芯材部１は、ポリエステル製フェルト等が用いられており、導線２が螺旋状に巻かれた際、長円形状または楕円形状のコイルを形成するように、断面が長方形の形状に形成されている。これにより、導線２により形成される長円形状または楕円形状のコイルの長径が概略Ｗとなり、短径が概略ｔの寸法となる。
これにより、コイル型パッド導子１０の患部当接面は、長円または楕円の短径方向に垂直な平面、すなわち幅Ｗと奥行きＨとがなす平面となり、装着対象の患部面に対して密着性を持たせることとなる。また、上記コイルが楕円形状または長円形状に形成されているため、真円のコイルと異なり、短径方向に対し、コイル型パッド導子１０に、導線の剛性に対応した柔軟性を持たせることが可能となる。
【００２０】
導線２は、誘電率が低く耐熱性の高い絶縁部材、例えばシリコン樹脂等で被覆されると共に、渦巻き状に巻かれたもので、ターン数を例えば３０から３５ターンとする。シリコン樹脂は、塩化ビニルに比較して誘電率が低く、損失が少ない。固定テープ３は、導線２を布テープ等の柔軟性に富む材料であり、導線２の奥行き方向に対する相対的変位を規制するものである。
【００２１】
上述したように形成することにより、図２（ａ）に示すように、本発明のコイル型パッド導子１０のコイル部分は導線をソレノイド状（空芯コイル状）に、フェルト材芯部１に巻いている。このため、超短波治療器４から供給されるコイルから発生する磁界は、コイルの一端から患部内を通過してコイルの他端に向かうようになるため、患部に対して平行に発生することになる。これにより、患部において発生する渦電流によるジュール熱の作用により患部の深いところに対して、温熱作用を与える。このとき、患部面にコイルの軸が平行となるよう、コイル型パッド導子１０が患部に装着される。
一方、図２（ｂ）に示す従来の平面基板に渦巻き状に形成されたコイルの場合、超短波治療器４から供給されるコイルから発生する磁界は、図２（ａ）と同様に、コイルの一端から患部内を通過してコイルの他端に向かうようになるが、患部に対して垂直に発生することになる。
【００２２】
このように構成されたコイル型パッド導子１０の導線２に用いる絶縁電線の選定過程を説明する。導線２とケーブル５とを含めたインダクタンス及び容量は、超短波治療器４本体の供給する超短波とインピーダンス整合がとれている必要がある。絶縁電線の絶縁材には、天然ゴム、ブチルゴム、スチレンブタジエンラバー、塩化ビニル、ポリエチレン、架橋ポリエチレン、及びシリコン樹脂、シリコンゴム等が用いられている。そこで、ケーブル５にはポリエチレン絶縁電線を用い、導線２にはシリコン絶縁電線を用いたところ、優れたインピーダンス整合がとれた。
【００２３】
他方、ケーブル５にはポリエチレン絶縁電線を用い、導線２には塩化ビニル絶縁電線、ポリエチレン絶縁電線、又はブチルゴム絶縁電線を用いたところ、インピーダンス整合がとれず導子が発熱した。従って、導線２に用いる絶縁電線には誘電率が低く、耐熱性の高い絶縁部材である、例えばシリコン樹脂又はシリコンゴムで被覆された電線を用いると、誘電率が低い為に電力の損失が少なく、熱を持たない。
【図面の簡単な説明】
【００２４】
【図１】本発明の一実施形態によるコイル型パッド導子の構成例を示す図である。
【図２】本実施形態と従来例とのコイル構造を説明する概念図である。
【図３】超短波治療器の構成を示すブロック図である。
【符号の説明】
【００２５】
１…フェライト材芯部
２…導線
３…固定テープ
４…超短波治療器
５…ケーブル
【図１】
2006333937.tif 000003
【図２】
2006333937.tif 000004
【図３】
2006333937.tif 000005